【手続補正書】
【提出日】平成20年4月14日(2008.4.14)
【手続補正１】
【補正対象書類名】明細書
【補正対象項目名】特許請求の範囲
【補正方法】変更
【補正の内容】
【特許請求の範囲】
【請求項１】  歯を受け入れるように形成されたキャビティを有するシェルを含む歯科用器具であって、前記シェルの少なくとも第１の部分は第１の剛性を有し、前記シェルの第２の部分は前記第１の剛性とは異なる第２の剛性を有する、歯科用器具。
【請求項２】  前記第１の部分は、近心−遠位軸に沿って前記第２の部分と剛性が異なる、請求項１に記載の器具。
【請求項３】  前記第１の部分は１つ以上の前記歯を受け入れ、前記第２の部分は１つ以上の前記歯を受け入れる、請求項２に記載の器具。
【請求項４】  前記第１の部分は、顔面−舌軸に沿って前記第２の部分と剛性が異なる、請求項１に記載の器具。
【請求項５】  前記第１の部分は歯の咬合表面を部分的に覆い、前記第２の部分は前記歯の残りの部分を実質的に覆う、請求項４に記載の器具。
【請求項６】  前記第１の部分は、歯肉−歯冠軸に沿って前記第２の部分と剛性が異なる、請求項１に記載の器具。
【請求項７】  前記第１の部分は歯の咬合表面を実質的に覆い、前記第２の部分は前記歯の残りの部分を実質的に覆う、請求項６に記載の器具。
【請求項８】  前記第１および第２の剛性とは異なる第３の剛性を有する第３の部分をさらに含む、請求項１に記載の器具。
【請求項９】  前記第３の部分は、近心−遠位方向、顔面−舌方向、または歯肉−歯冠方向で、前記第１の部分または前記第２の部分に隣接して配置される、請求項８に記載の器具。
【請求項１０】  前記器具は、保持装置である、請求項１に記載の器具。
【請求項１１】  前記器具は、歯を再配置するために使用される、請求項１に記載の器具。
【請求項１２】  前記第１の部分は第１の弾性率を有し、前記第１の弾性率は２５％〜６００％だけ前記第２の部分の第２の弾性率と異なる、請求項１に記載の器具。
【請求項１３】  前記シェルの少なくとも一領域は、ポリマー性材料の２つ以上の層を含む、請求項１に記載の器具。
【請求項１４】  前記シェルの少なくとも一領域は、ピース、ストリップ、ワイヤ、メッシュ、格子、およびネットワークからなる群から選択される構造物で強化された材料から構成される、請求項１に記載の器具。
【請求項１５】  前記材料は、ポリマーを含む、請求項１４に記載の器具。
【請求項１６】  前記構造物は、金属または合金を含む、請求項１４に記載の器具。
【請求項１７】  前記構造物は、ポリマーを含む、請求項１４に記載の器具。
【請求項１８】  前記シェルの少なくとも一領域は、金属または合金を含む、請求項１に記載の器具。
【請求項１９】  前記シェルの少なくとも一領域は、相互貫入ネットワークを含む、請求項１に記載の器具。
【請求項２０】  前記第１の部分および前記第２の部分は、０．５〜５ＧＰａの範囲の弾性率を有する、請求項１に記載の器具
【請求項２１】  最初の歯の構成から最後の歯の構成へと歯を再配置するためのシステムであって、前記システムは、歯を受け入れかつ再配置するように形成されたキャビティを有するシェルを含む複数の増加位置調整器具であって、１つの配置から連続する配置へと歯を移動させるために患者によって連続的に装着されている複数の増加位置調整器具を備え、
少なくとも第１の器具は剛性を有する部分を有するシェルを含み、少なくとも第２の器具は前記第１の器具の前記部分に対応する部分を有するシェルを有し、前記第２の器具の前記部分は前記第１の器具の前記部分の剛性とは異なる剛性を有することを特徴とする、システム。
【請求項２２】  前記第１および第２の器具の前記シェルは、均一ではあるがそれら全体の歯の接触領域にわたって異なる剛性を有している、請求項２１に記載のシステム。
【請求項２３】  均一であり、かつ前記第１または第２の器具の剛性と実質的に同じ剛性を有する少なくとも第３の器具をさらに含む、請求項２２に記載のシステム。
【請求項２４】  実質的に類似する剛性を有する器具が実質的に類似する歯の移動のために使用され、前記歯の移動は、チッピング、並進、根元からの直立、回転、押出し、侵入、およびこれらの組み合わせからなる群から選択される、請求項２３に記載のシステム。
【請求項２５】  前記剛性は、歯を受け入れ、歯を規定されていない構成から規定されている構成へと弾性的に再配置するのに適切に可撓性である、請求項２３に記載のシステム。
【請求項２６】  最初の歯の構成から連続する歯の構成へと歯を再配置するためのシステムであって、前記システムは、歯を受け入れかつ再配置するように形成されたキャビティを有するシェルを含む複数の増加位置調整器具であって、１つの配置から連続する配置へと歯を移動させるために患者によって連続的に装着されている複数の増加位置調整器具を備え、
第１の器具はシェルを含み、前記第１の器具は第２の器具の形状と同じ形状を有し、かつ別の器具において対応する部分の剛性とは異なる剛性を有する部分を少なくとも有することを特徴とする、システム。
【請求項２７】  前記第１および第２の器具の形状と同じ形状を有し、かつ部分における剛性であって、前記第１および第２の器具の対応する部分の剛性とは異なる剛性を有する第３の器具をさらに含む、請求項２６に記載のシステム。
【請求項２８】  歯を再配置するためのシステムであって、前記システムは、
患者の口中の歯の上に第１の増加位置調整器具を配置する手段と、
前記患者の口中の前記歯の上に少なくとも第２の増加位置調整器具を逐次配置する手段と
を備え、
前記器具は、形状を持ったキャビティを有するポリマー性シェルを含み、前記第１および第２の器具のシェルは同じ形状を有するが、前記第１の器具と前記第２の器具とで剛性が異なる部分を有する、システム。
【請求項２９】  前記第１および第２の器具のシェルの剛性は、前記シェル全体にわたって均一である、請求項２８に記載のシステム。
【請求項３０】  前記第１および第２の器具のシェルの剛性は、前記シェル全体にわたって不均一である、請求項２８に記載のシステム。
【請求項３１】  前記第１および第２の器具の前記シェルの第１および第２の部分は、各器具の対応する位置に配置されており、前記第１および第２の器具の前記第１の部分の剛性は互いに異なる、請求項２８に記載のシステム。
【請求項３２】  前記第１および第２の器具の前記第２の部分の剛性は互いに異なる、請求項３１に記載のシステム。
【請求項３３】  前記第１および第２の器具の前記シェルは同じジオメトリを有している、請求項２８に記載のシステム。
【請求項３４】  前記第１および第２の器具の前記シェルは異なるジオメトリを有している、請求項２８に記載のシステム。
【請求項３５】  歯を再配置するためのシステムであって、前記システムは、
患者の口中の歯の上に第１の増加位置調整器具を配置する手段と、
前記患者の口中の前記歯の上に少なくとも第２の増加位置調整器具を逐次配置する手段と
を備え、
前記器具は、形状を持ったキャビティを有するポリマー性シェルを含み、前記第１および第２の器具のうち少なくとも１つはシェルを有し、前記シェルの少なくとも第１の部分は第１の剛性を有し、前記シェルの第２の部分は前記第１の剛性とは異なる第２の剛性を有する、システム。
【請求項３６】  前記シェルを有する前記第１および第２の器具の双方のシェルの双方において、前記シェルの少なくとも第１の部分は第１の剛性を有し、前記シェルの第２の部分は前記第１の剛性とは異なる第２の剛性を有する、請求項３５に記載のシステム。